(57)【特許請求の範囲】
【請求項１】
少なくとも第１のベースステーション(120,320)及び第２のベースステーション(130,430)を備えた移動無線通信ネットワーク(100)のハンドオーバーの動作を最適化する方法において、
前記第１のベースステーション(120,320)から前記第２のベースステーション(130,430)へのユーザ装置(140)のハンドオーバーを遂行し、
前記ユーザ装置(140)と前記第１のベースステーション(120,320)との間の無線リンクのプロパティを表わす情報エレメントを、前記ユーザ装置(140)に関連したデータレコード(160,260a,260b,260c)に追加し、
前記データレコード(160,260a,260b,260c)を前記第１のベースステーション(120,320)から前記第２のベースステーション(130,430)へ転送し、及び
前記ユーザ装置(140)が経験する無線リンク条件のために異なるベースステーション間での前記ユーザ装置(140)のハンドオーバーをトリガーさせるための少なくとも１つのハンドオーバー無線スレッシュホールドの値を適応させ、及び／又は前記移動無線通信ネットワーク(100)の異なる無線セル間の無線データ負荷の分布を変更するための少なくとも１つのトラフィックステアリングパラメータの値を適応させることによって、前記追加された情報エレメントに基づいて前記移動無線通信ネットワーク(100)のハンドオーバーの動作を最適化する、
ことを含む方法。
【請求項２】
前記第２のベースステーション(130,430)から前記移動無線通信ネットワーク(100)の第３のベースステーションへ前記ユーザ装置(140)の更に別のハンドオーバーを遂行し、
前記ユーザ装置(140)と前記第２のベースステーション(130,430)との間の無線リンクのプロパティを表わす更に別の情報エレメントを、前記ユーザ装置(140)に関連したデータレコード(160,260a,260b,260c)に追加し、及び
前記データレコード(160,260a,260b,260c)を前記第２のベースステーション(130,430)から前記第３のベースステーションへ転送する、
ことを含み、前記移動無線通信ネットワークのハンドオーバーの動作の最適化は、前記追加された更に別の情報エレメントに更に基づいて実行される、請求項１に記載の方法。
【請求項３】
前記第３のベースステーション及び前記第１のベースステーション(120,320)は、同じである、請求項１から２のいずれかに記載の方法。
【請求項４】
前記第１のベースステーション(120,320)は、第１の無線アクセス技術に指定され、そして前記第２のベースステーション(130,430)は、第２の無線アクセス技術に指定され、前記第２の無線アクセス技術は、前記第１の無線アクセス技術とは異なる、請求項１から３のいずれかに記載の方法。
【請求項５】
前記ユーザ装置(140)と前記第１のベースステーション(120,320)との間の第１の無線リンクは、第１の高周波に指定され、そして前記ユーザ装置(140)と前記第２のベースステーション(130,430)との間の第２の無線リンクは、第２の高周波に指定され、前記第２の高周波は、前記第１の高周波とは異なる、請求項１から４のいずれかに記載の方法。
【請求項６】
前記データレコード(160,260a,260b,260c)は、前記ユーザ装置(140)とベースステーションとの間、特に、前記ユーザ装置(140)と、過去に前記ユーザ装置(140)にサービスした少なくとも前記第１のベースステーション(120,320)との間の少なくとも１つの無線接続に関する情報を含む、請求項１から５のいずれかに記載の方法。
【請求項７】
前記情報は、
前記ユーザ装置(140)と前記第１のベースステーション(120,320)との間の無線接続の期間を表わすドエルタイム、及び／又は
前記第１のベースステーション(120,320)のセル識別子、
を含む請求項６に記載の方法。
【請求項８】
前記ユーザ装置(140)と前記第１のベースステーション(120,320)との間の無線リンクのプロパティは、ハンドオーバーをトリガーする原因を表わし、及び／又は
前記ユーザ装置(140)と前記第２のベースステーション(130,430)との間の無線リンクのプロパティは、更に別のハンドオーバーをトリガーする原因を表わす、
請求項１から７のいずれかに記載の方法。
【請求項９】
前記ハンドオーバーをトリガーする原因は、前記ユーザ装置(140)が経験する無線リンク条件であり、又は
前記ハンドオーバーをトリガーする原因は、前記移動無線通信ネットワーク(100)の異なる無線セル間の無線データ負荷の分布を変更するためのトラフィックステアリング手順である、請求項８に記載の方法。
【請求項１０】
前記ユーザ装置(140)と前記第１のベースステーション(120,320)との間の無線リンクのプロパティ、及び／又は前記ユーザ装置(140)と前記第２のベースステーション(130,430)との間の無線リンクのプロパティは、前記ユーザ装置(140)がハンドオーバーの前に受けたサービス品質によって決定される、請求項１から９のいずれかに記載の方法。
【請求項１１】
前記ユーザ装置(140)と前記第１のベースステーション(120,320)との間の無線リンクのプロパティは、ハンドオーバー中に前記ユーザ装置(140)の位置により決定され、及び／又は
前記ユーザ装置(140)と前記第２のベースステーション(130,430)との間の無線リンクのプロパティは、更に別のハンドオーバー中に前記ユーザ装置(140)の位置により決定される、請求項１から１０のいずれかに記載の方法。
【請求項１２】
前記情報エレメント及び／又は更に別の情報エレメントは、ハンドオーバーをトリガーする原因である測定事象の形式を表わす、請求項３に記載の方法。
【請求項１３】
移動無線通信ネットワーク(100)のハンドオーバーの動作を最適化するための移動無線通信ネットワーク(100)用の第１のベースステーションにおいて、この第１のベースステーション(120,320)は、
前記第１のベースステーション(120,320)から前記移動無線通信ネットワーク(100)の第２のベースステーション(130,430)へのユーザ装置(140)のハンドオーバーをコントロールするためのコントロールユニット(321)と、
前記ユーザ装置(140)と前記第１のベースステーション(120,320)との間の無線リンクのプロパティを表わす情報エレメントを、前記ユーザ装置(140)に関連したデータレコード(160,260a,260b,260c)に追加するための追加ユニット(322)と、
前記第１のベースステーション(120,320)から前記第２のベースステーション(130,430)へ前記データレコード(160,260a,260b,260c)を送信するための送信ユニット(323)と、
を備え、前記ユーザ装置(140)が経験する無線リンク条件のために異なるベースステーション間での前記ユーザ装置(140)のハンドオーバーをトリガーさせるための少なくとも１つのハンドオーバー無線スレッシュホールドの値を適応させ、及び／又は前記移動無線通信ネットワーク(100)の異なる無線セル間の無線データ負荷の分布を変更するための少なくとも１つのトラフィックステアリングパラメータの値を適応させることによって、前記データレコード(160,260a,260b,260c)に追加された情報エレメントに基づいて、前記移動無線通信ネットワーク(100)のハンドオーバーの動作を最適化する、第１のベースステーション。
【請求項１４】
移動無線通信ネットワーク(100)のハンドオーバーの動作を最適化するための移動無線通信ネットワーク(100)用の第２のベースステーションにおいて、この第２のベースステーション(130,430)は、
前記移動無線通信ネットワーク(100)の第１のベースステーション(120,320)から第２のベースステーション(130,430)へのユーザ装置(140)のハンドオーバーをコントロールするためのコントロールユニット(431)と、
前記第１のベースステーション(120,320)から前記ユーザ装置(140)に関連したデータレコード(160,260a,260b,260c)を受け取るための受信ユニット(433)と、
を備え、前記ユーザ装置(140)と前記第１のベースステーション(120,320)との間の無線リンクのプロパティを表わす情報エレメントが前記データレコード(160,260a,260b,260c)に追加されており、前記ユーザ装置(140)が経験する無線リンク条件のために異なるベースステーション間での前記ユーザ装置(140)のハンドオーバーをトリガーさせるための少なくとも１つのハンドオーバー無線スレッシュホールドの値を適応させ、及び／又は前記移動無線通信ネットワーク(100)の異なる無線セル間の無線データ負荷の分布を変更するための少なくとも１つのトラフィックステアリングパラメータの値を適応させることによって、前記データレコード(160,260a,260b,260c)に追加された前記情報エレメントに基づいて前記移動無線通信ネットワークのハンドオーバーの動作を最適化する、第２のベースステーション。
【発明の詳細な説明】
【技術分野】
【０００１】
本発明は、移動無線通信ネットワーク内のユーザ装置のハンドオーバーをコントロールする分野に関する。より詳細には、本発明は、少なくとも第１のベースステーション及び第２のベースステーションを備えた移動無線通信ネットワークのハンドオーバー動作を最適化する方法に関する。更に、本発明は、ここに述べるハンドオーバー動作の最適化方法を実行するように互いに構成された第１のベースステーション及び第２のベースステーションに関する。
【背景技術】
【０００２】
移動無線通信の技術分野における１つの重要な領域は、（サービング）ソースセルから（隣接）ターゲットセルへのユーザ装置（ＵＥ）のハンドオーバー（ＨＯ）、及びＨＯをコントロールするパラメータの最適化に関する。この技術分野では、自己最適化ネットワーク（ＳＯＮ）、及び特に、移動頑健性最適化（ＭＲＯ）に高い関心が集まっている。
【０００３】
ＭＲＯの目的は、問題のあるＨＯによる無線リンク失敗（ＲＬＦ）の数を減少するようにネットワーク構成パラメータ（例えば、ハンドオーバー（ＨＯ）トリガーパラメータ、ＨＯスレッシュホールド又はタイマー）を最適化することである。ＨＯは、ＵＥによって報告される測定事象でトリガーされ、その測定事象は、次いで、隣接セル及びサービングセル測定でトリガーされる。サービングベースステーション（ＢＳ）からの信号強度を、隣接する潜在的なターゲットＢＳからの信号強度と単純に相対的に比較するケースでは、ＨＯトリガーのために単一のオフセットパラメータを指定するだけでよい。２つの異なる無線アクセス技術（ＲＡＴ）（及び時々は、同じＲＡＴにおける２つの異なる周波数）のケースでは、ソースセル及びターゲットセルの絶対信号値を考慮しなければならず、即ちＨＯ事象をトリガーするためには２つのスレッシュホールドを同時に満足しなければならない。
【０００４】
ＲＬＦを生じさせ得るＨＯ問題は、使用するスレッシュホールドが不適当な値を有する場合に発生する。３ＧＰＰは、ＲＬＦを生じさせ得るＨＯ問題の３つの異なるカテゴリーを指定している。
（ａ）ＨＯトリガーが遅過ぎることによる失敗
（ｂ）ＨＯトリガーが早過ぎることによる失敗
（ｃ）間違ったセルへのＨＯであることによる失敗
【０００５】
典型的にＲＬＦを生じないが、大きなシグナリング負荷を引き起こす更に別のＨＯ問題は、所謂ピンポンハンドオーバーであり、これは、特に、第１のＢＳと第２のＢＳとの間の境界領域にＵＥが位置している場合に生じる。
【発明の概要】
【発明が解決しようとする課題】
【０００６】
従って、移動無線通信ネットワークのハンドオーバー動作を改善する必要がある。
【課題を解決するための手段】
【０００７】
この必要性は、独立請求項の要旨によって満足される。本発明の好都合な実施形態は、従属請求項によって説明する。
【０００８】
本発明の第１の態様によれば、少なくとも第１のベースステーション及び第２のベースステーションを備えた移動無線通信ネットワークのハンドオーバーの動作を最適化する方法が提供される。この提供される方法は、（ａ）第１のベースステーションから第２のベースステーションへのユーザ装置のハンドオーバーを遂行し、（ｂ）ユーザ装置と第１のベースステーションとの間の無線リンクのプロパティを表わす情報エレメントを、ユーザ装置に関連したデータレコードに追加し、（ｃ）そのデータレコードを第１のベースステーションから第２のベースステーションへ転送し、及び（ｄ）その追加された情報エレメントに基づいて移動無線通信ネットワークのハンドオーバーの動作を最適化することを含む。
【０００９】
ここに述べるハンドオーバー（ＨＯ）動作最適化方法は、ユーザ装置（ＵＥ）と、第１のベースステーション（ＨＯまでユーザ装置にサービスしていた）との間の無線リンクのプロパティを表わすここに述べる情報エレメントを、現在の３ＧＰＰ規格に従って過去のＵＥの無線接続に関する情報を既に含むデータレコードに追加することにより、移動無線通信ネットワークがそのＨＯの動作を将来のＨＯに対して最適化することができ、その結果、将来のＨＯは、ここに述べるハンドオーバー動作最適化が完成する以前に発生されたＨＯトリガー事象に比して早目に又は遅めにトリガーされるという考え方に基づくものである。
【００１０】
ＵＥは、任意の通信ネットワークアクセスポイント（例えば、２つのベースステーション（ＢＳ））に接続することのできる任意の形式の通信端装置である。特に、ＵＥは、セルラー移動電話、パーソナルデジタルアシスタント（ＰＤＡ）、タブレットコンピュータ、ノートブックコンピュータ、及び／又は他の移動無線通信装置である。
【００１１】
データレコードは、第１のＢＳから第２のＢＳへ、それら２つのＢＳ間の所謂Ｘ２インターフェイスを経て転送される。これは、上述した方法がＬＴＥネットワーク内で実行される場合に、ｅＮｏｄｅＢ間に既に存在する標準インターフェイスを使用することができる。これは、ここに述べるＨＯ動作最適化方法を、対応するネットワークアーキテクチャーを変更する必要なく、既知の移動無線通信ネットワークにおいて容易に実現できることを意味する。もちろん、Ｘ２インターフェイスが使用される場合には、データレコードの構造は、標準Ｘ２要件に合致しなければならない。
【００１２】
本発明の一実施形態によれば、ハンドオーバー動作の最適化は、（ａ）ユーザ装置が経験する無線リンク条件のために異なるベースステーション間でのユーザ装置のハンドオーバーをトリガーさせるための少なくとも１つのハンドオーバー無線スレッシュホールドの値を適応させ、及び／又は（ｂ）移動無線通信ネットワークの異なる無線セル間の無線データ負荷の分布を変更するための少なくとも１つのトラフィックステアリングパラメータの値を適応させることを含む。
【００１３】
これは、既知の比較的簡単な手段により移動無線通信ネットワークのＨＯ動作を有効に最適化できるという効果を発揮する。特に、例えば、（移動する）ＵＥの（変化する）無線リンク条件のために問題のあるＨＯがトリガーされた場合には、トラフィックステアリングパラメータを変更しないのが好都合である。同様に、（主として）対応するトラフィックステアリングパラメータの値がおそらく積極的にセットされ過ぎたというトラフィックステアリングの理由で問題のあるＨＯがトリガーされた場合には、ＨＯ無線スレッシュホールドを不変のままにすることが良い考え方である。
【００１４】
本発明の更に別の実施形態によれば、前記方法は、更に、（ａ）第２のベースステーションから移動無線通信ネットワークの第３のベースステーションへユーザ装置の更に別のハンドオーバーを遂行し、（ｂ）ユーザ装置と第２のベースステーションとの間の無線リンクのプロパティを表わす更に別の情報エレメントを、ユーザ装置に関連したデータレコードに追加し、及び（ｃ）そのデータレコードを第２のベースステーションから第３のベースステーションへ転送することを含む。それにより、移動無線通信ネットワークのハンドオーバーの動作の最適化は、その追加された更に別の情報エレメントに基づいて実行される。
【００１５】
これは、データレコードが、ＵＥと第１のベースステーションとの間の（以前の）無線リンクのプロパティに対してだけではなく、ＵＥと第２のベースステーションとの間の無線リンクのプロパティについても有意義であるという効果を発揮する。その結果、移動無線通信ネットワークのＨＯ動作は、より確実な仕方で最適化することができる。
【００１６】
ここに述べる方法は、ＵＥの無線リンクプロパティを表わす２つの情報エレメントのみをデータレコードに追加することに限定されないことを述べておく。データレコードは、複数のＨＯの１つが遂行される前にＵＥが過去に楽しんだ多数の無線リンクプロパティを記憶することのできる履歴ファイルである。より詳細には、データレコードは、Ｘ２インターフェイスの現行の３ＧＰＰ仕様３６．４２３、第９．２．３８−９．２．４０章に従って、ＵＥ履歴に含まれ／追加される全てのデータを含む。この点に関して、ここに述べるデータレコードは、拡張ＵＥ履歴ファイルと称される。
【００１７】
本発明の更に別の実施形態によれば、第３のベースステーション及び第１のベースステーションは、同じである。これは、特に、無線リンク失敗（ＲＬＦ）も完全なコールドロップも招かないが、不必要に高いシグナリング負荷を生じさせる所謂マルチピンポンＨＯを、ユーザ装置と、各ＨＯまでＵＥにサービスしていたベースステーションとの間の無線リンクのプロパティに関して分析できるという効果を発揮する。その結果、移動無線通信ネットワークのＨＯ動作を、特に不必要なピンポンＨＯに関して改善して、移動無線通信ネットワーク内の全体的なシグナリング負荷を減少することができる。
【００１８】
ピンポンＨＯは、移動無線通信ネットワークの性能を低下させる原因である非常に一般的な現象であることが指摘される。特に、ピンポンハンドオーバーは、セル対の２つのセルへ及びセルからの頻繁なＨＯである。ピンポン作用は、各セル対間でのＵＥの頻繁な動きのために、及び／又はセル対の共通の境界における比較的高い信号変動のために発生し得る。積極的過ぎる無線データトラフィックステアリングパラメータも、ピンポンＨＯの理由である。ピンポンＨＯは、ＨＯの時間を延長し、従って、ネットワークの負荷を増加するので、ネットワークオペレータにとってこの望ましからぬ作用を減少することが重要である。
【００１９】
本発明の更に別の実施形態によれば、第１のベースステーションは、第１の無線アクセス技術に指定され、そして第２のベースステーションは、第２の無線アクセス技術に指定され、第２の無線アクセス技術は、第１の無線アクセス技術とは異なる。これは、ここに述べるＨＯ動作最適化方法を、無線アクセス技術（ＲＡＴ）間ＨＯに関しても実行できることを意味する。
【００２０】
この点において、ＵＥのＨＯがＲＡＴ間ＨＯ(inter RAT HO)であることは重要でないことを述べておく。もちろん、ここに述べる方法は、ＲＡＴ間ＨＯに関しても実行することができる。
【００２１】
本発明の更に別の実施形態によれば、ユーザ装置と第１のベースステーションとの間の第１の無線リンクは、第１の高周波に指定され、そしてユーザ装置と第２のベースステーションとの間の第２の無線リンクは、第２の高周波に指定され、第２の高周波は、第１の高周波とは異なる。これは、ここに述べるＨＯ動作最適化方法を、周波数間ＨＯに関しても実行できることを意味する。従って、２つのＢＳは、同じＲＡＴに指定されてもよいし、或いは異なるＲＡＴに指定されてもよい。
【００２２】
本発明の更に別の実施形態によれば、データレコードは、ユーザ装置とベースステーションとの間、特に、ユーザ装置と、過去にユーザ装置にサービスした少なくとも第１のベースステーションとの間の少なくとも１つの無線接続に関する特性情報を含む。これは、ＨＯ動作の最適化をここに述べる特性情報に基づいて更に実行でき、その結果、ＨＯ動作の最適化が信頼性の高いものとなるという効果を発揮する。
【００２３】
特性情報は、ＨＯが実行されるときにデータレコードに追加されることを述べておく。従って、特性情報は、ＵＥと、それまでサービスしていたベースステーション、即ちＨＯの環境ではソースベースステーションとの間の無線接続に関連している。既に上述したように、データレコードは、ソースＢＳからターゲットＢＳへ転送され、ターゲットＢＳは、ＨＯが完了した後、少なくとも、いつかは、サービングＢＳとなる。
【００２４】
本発明の更に別の実施形態によれば、特性情報は、（ａ）ユーザ装置と第１のベースステーションとの間の無線接続の期間を表わすドエルタイム、及び／又は（ｂ）第１のベースステーションのセル識別子を含む。従って、無線リンクのドエルタイム及び／又はサービングセルＩＤは、過去にベースステーションにサービスするのに使用されたデータレコードに追加される。
【００２５】
換言すれば、（ソース）ＢＳがＵＥを（ターゲット）ＢＳにハンドオーバーするとき、ソースＢＳは、（ターゲット）ＢＳ及び全ての更に別の（将来の）ターゲットＢＳがＵＥの無線リンク履歴に関する情報をもつことになるように特性情報に各エントリを追加する。従って、データレコードは、ＨＯごとに、対応する時間情報、及び／又はソースＢＳのアイデンティティに関する情報が追加されるログファイルとして見える。
【００２６】
本発明の更に別の実施形態によれば、ユーザ装置と第１のベースステーションとの間の無線リンクのプロパティは、ハンドオーバーをトリガーする原因を表わし、及び／又はユーザ装置と第２のベースステーションとの間の無線リンクのプロパティは、更に別のハンドオーバーをトリガーする原因を表わす。これは、移動無線通信ネットワークのＨＯハンドオーバーを有効に最適化するための貴重な情報が収集されるという効果を発揮する。
【００２７】
本発明の更に別の実施形態によれば、（ａ）ハンドオーバーをトリガーする原因は、ユーザ装置が経験する無線リンク条件であり、又は（ｂ）ハンドオーバーをトリガーする原因は、移動無線通信ネットワークの異なる無線セル間の無線データ負荷の分布を変更するためのトラフィックステアリング手順である。これは、ＨＯの理由をより正確に理解でき、そして移動無線通信ネットワークのＨＯ動作を最適化するための適当な手段を実行できるという効果を発揮する。これは、特に、望ましからぬピンポンＨＯを有効に減少できるようにする。従って、例えば、ピンポンＨＯの少なくとも１つのＨＯの原因がトラフィックステアリング手順である場合には、それに対応するトラフィックステアリングパラメータをあまり積極的でないようにセットすることが適当である。
【００２８】
この点に関して、トラフィックステアリングは、異なる理由で行われてもよいことを述べておく。その１つの理由は、ソースセルが高い無線データ負荷を受けると同時に、ターゲットセルは比較的小さな無線データ負荷を取り扱うだけでよいことである。無線データ負荷のバランスをとるために、好ましくはソースセルとターゲットセルとの間の境界領域内に位置する少なくとも１つのＵＥを、ソースセルからターゲットセルへハンドオーバーするのが好都合である。このケースでは、無線データトラフィックステアリングの動機付けが無線データのバランスである。
【００２９】
トラフィックステアリングを実行する別の理由は、ソースセル内のＵＥの無線条件は良好であるが、例えば、異なるＲＡＴであるために、ターゲットセルがＵＥのユーザにより要求されたより高い無線データレートを取り扱える場合には、ターゲットセルへのＨＯが有意義になることである。そのような高い無線データレートは、例えば、ＵＥのユーザがビデオ会議セッションへの参加を希望する場合に要求される。
【００３０】
トラフィックステアリング手順に対する他の理由又は動機付けもあることを明確に述べておく。
【００３１】
本発明の更に別の実施形態によれば、ユーザ装置と第１のベースステーションとの間の無線リンクのプロパティ、及び／又はユーザ装置と第２のベースステーションとの間の無線リンクのプロパティは、ユーザ装置がハンドオーバーの前に楽しんだサービス品質を表わす。
【００３２】
サービス品質（ＱｏＳ）は、例えば、３ＧＰＰ技術仕様書２３．２０３に定義されたＱｏＳクラスインジケータ（ＱＣＩ）値によって指定される。従って、例えば、ＵＥのユーザがリアルタイム（ＲＴ）サービスを楽しんだか非リアルタイム（ｎＲＴ）サービスを楽しんだか区別される。更に別の有用な区別は、例えば、（ａ）ＵＥのユーザが、例えば、５１２ｋｂｐｓ（５１２キロビット／秒）の保証ビットレート（ＧＢＲ）を楽しんだか、又は（ｂ）非ＧＢＲ又は所謂ベストエフォート無線データトラフィックを楽しんだかである。そのような区別は、サービスプロバイダーにとってＧＢＲユーザが常にそれらのＧＢＲを楽しむことを保証することが重要であるために、特に有用である。説明的に言うと、ＧＢＲユーザは、彼らが支払したものを得なければならない。
【００３３】
上述した区別は、排他的でなく、且つデータレコードに追加される（更に別の）情報エレメントは、移動無線通信ネットワークの現在のＨＯ動作に関してより多くを学ぶために技術的な観点から有意義となる他の区別を含むことを述べておく。
【００３４】
本発明の更に別の実施形態によれば、ユーザ装置と第１のベースステーションとの間の無線リンクのプロパティは、ハンドオーバー中にユーザ装置の位置によよ決定され、及び／又はユーザ装置と第２のベースステーションとの間の無線リンクのプロパティは、更に別のハンドオーバー中のユーザ装置の位置を表わす。これは、ＨＯ失敗及び／又はＨＯ問題が頻繁に発生する特定のスポットを識別でき、且つ移動無線通信ネットワークのＨＯ動作を改善するための特殊な位置感知手段を適用できるという効果を発揮する。
【００３５】
位置指示情報は、例えば、グローバルポジショニングシステム（ＧＰＳ）情報、アシスト型グローバルポジショニングシステム（Ａ−ＧＰＳ）情報、又は単に、例えば、特定のストリートのような構成された位置識別子である。
【００３６】
又、位置特有情報は、例えば、ワイヤレスＬＡＮネットワークに基づく位置探索、所謂観察到着時間差（ＯＴＤＡ）手順に基づく位置探索、及び／又は異なる周囲ベースステーションの信号強度測定の組み合わせにより与えられる所謂ＲＦ指紋のような他の既知の測定原理から導出することもできる。
【００３７】
本発明の更に別の実施形態によれば、情報エレメント及び／又は更に別の情報エレメントは、ハンドオーバーをトリガーする原因である測定事象の形式を表わす。これは、ＨＯに関するより多くの情報が捕獲され、且つ移動無線通信ネットワークのＨＯ動作の更なる改善が可能であるという効果を発揮する。
【００３８】
従って、ＨＯの形式（例えば、ＲＡＴ間(inter RAT)又はＲＡＴ内(intra RAT)）に基づいて、異なる測定形式が使用され、そしてそれに対応する情報が情報エレメント及び／又は更に別の情報エレメントに含まれる。
【００３９】
例えば、２つの長期進化（ＬＴＥ）ベースステーション（即ち、ｅＮｏｄｅＢ）間のＲＡＴ内ＨＯは、所謂Ａ３測定によってトリガーされる。従って、例えば、（ａ）ＵＥとソースＢＳとの間、及び（ｂ）ＵＥとターゲットＢＳとの間の既定の信号強度オフセットのような１つの信号条件を満足するかどうかだけがチェックされる。もしそうであれば、ＬＴＥ内ＨＯがトリガーされる。
【００４０】
ＲＡＴ内（特に、ＬＴＥ内）ＨＯをトリガーする測定事象の別の例は、所謂Ａ５測定事象である。Ａ５測定では、ＨＯトリガーが解除される前に２つの異なる条件を満足するかどうか決定される。特に、Ａ５測定により、（ａ）ソースＢＳとＵＥとの間の信号強度が第１のスレッシュホールドより小さいかどうか、そして（ｂ）ターゲットＢＳとＵＥとの間の信号強度が第２のスレッシュホールドより大きいかどうか決定される。一般的に述べると、ＨＯトリガーが解除される前に、２つの測定値が２つの異なるスレッシュホールド値と比較され、ここでは、各１つの測定値が１つのスレッシュホールド値に指定される。
【００４１】
例えば、ＲＡＴ間ＨＯは、所謂Ｂ１測定によりトリガーされる。異なるＲＡＴの隣接（ターゲット）セルの信号強度が既定スレッシュホールドより大きいときにＢ１事象が与えられる。ＲＡＴ間ＨＯをトリガーする測定事象の別の例は、２つの条件が満足する場合にのみ与えられる所謂Ｂ２測定事象である。特に、サービング（ソース）ＢＳからの信号強度が第１のスレッシュホールド“Ｂ２−１”より悪くなり且つ隣接（ターゲット）ＢＳからの信号強度が第２のスレッシュホールド“Ｂ２−２”より良くなった場合に第１条件が満足される。これらの条件が満足された場合だけ、それに対応するＲＡＴ間ＨＯのトリガーが解除される。
【００４２】
測定事象の前記列挙は、それに限定されるものではなく、そして情報エレメント及び／又は更に別の情報エレメントは、例えば、技術仕様書３ＧＰＰ  ＴＳ３６．３３１に明記された他の測定事象も表わすことを述べておく。
【００４３】
本発明の更に別の態様によれば、移動無線通信ネットワークのハンドオーバーの動作を最適化するための移動無線通信ネットワーク用の第１のベースステーションが提供される。この第１のベースステーションは、（ａ）第１のベースステーションから移動無線通信ネットワークの第２のベースステーションへのユーザ装置のハンドオーバーをコントロールするためのコントロールユニットと、（ｂ）ユーザ装置と第１のベースステーションとの間の無線リンクのプロパティを表わす情報エレメントを、ユーザ装置に関連したデータレコードに追加するための追加ユニットと、（ｃ）第１のベースステーションから第２のベースステーションへデータレコードを送信するための送信ユニットとを備えている。従って、データレコードに追加された情報エレメントに基づいて、移動無線通信ネットワークのハンドオーバーの動作を最適化することができる。
【００４４】
ここに述べる第１のＢＳは、ユーザ装置と第１のベースステーションとの間の無線リンクのプロパティが、ＨＯ動作の最適化を実行するネットワークエンティティにより知られている場合に通信ネットワークが将来のＨＯのためのＨＯ動作を最適化できるという考え方に基づくものである。
【００４５】
分散型解決策では、移動無線通信ネットワークのＨＯ動作最適化ネットワークエンティティは、第１のＢＳ及び／又は第２のＢＳである。集中型解決策では、ＨＯ動作最適化の役割を果たすネットワークエンティティは、所謂北向き又は南向きインターフェイスを経てＢＳに接続された所謂オペレーション・アンド・メンテナンス（ＯＡＭ）センターである。
【００４６】
本発明の更に別の態様によれば、移動無線通信ネットワークのハンドオーバーの動作を最適化するための移動無線通信ネットワーク用の第２のベースステーションが提供される。ここに提供される第２のベースステーションは、（ａ）移動無線通信ネットワークの第１のベースステーションから第２のベースステーションへのユーザ装置のハンドオーバーをコントロールするためのコントロールユニットと、（ｂ）第１のベースステーションからユーザ装置に関連したデータレコードを受け取るための受信ユニットとを備え、ユーザ装置と第１のベースステーションとの間の無線リンクのプロパティを表わす情報エレメントがデータレコードに追加されている。従って、データレコードに追加された情報エレメントに基づいて、移動無線通信ネットワークのハンドオーバーの動作を最適化することができる。
【００４７】
又、ここに述べる第２のＢＳは、ユーザ装置と第１のベースステーションとの間で楽しまれる無線リンクプロパティが、ＨＯ動作の最適化を実行するネットワークエンティティにより知られている場合には、通信ネットワークが将来のＨＯに対してそのＨＯ動作を最適化できるという考え方に基づく。
【００４８】
分散型解決策では、移動無線通信ネットワークのＨＯ動作最適化ネットワークエンティティは、第２のＢＳ及び／又は第１のＢＳである。集中型解決策では、ＨＯ動作最適化の役割を果たすネットワークエンティティは、所謂北向きインターフェイスを経てＢＳに接続された所謂オペレーション・アンド・メンテナンス（ＯＡＭ）センターである。
【００４９】
本発明の更に別の態様によれば、移動無線通信ネットワークのハンドオーバーの動作を最適化するためのコンピュータプログラムが提供される。このコンピュータプログラムは、データプロセッサにより実行されたとき、上述したハンドオーバー動作最適化方法をコントロールし及び／又は実行するためのものである。
【００５０】
ここで使用するコンピュータプログラムという語は、コンピュータシステムをコントロールして上述した方法の遂行を整合するためのインストラクションを含むプログラムエレメント及び／又はコンピュータ読み取り可能な媒体と同等である。
【００５１】
コンピュータプログラムは、例えば、ＪＡＶＡ（登録商標）、Ｃ＋＋のような適当なプログラミング言語でコンピュータ読み取り可能なインストラクションコードとして具現化され、そしてコンピュータ読み取り可能な媒体（除去可能なディスク、揮発性又は不揮発性メモリ、埋め込み式メモリ／プロセッサ、等）に記憶される。インストラクションコードは、意図された機能を実行するためにコンピュータ又は他のプログラム可能な装置をプログラムするように働く。コンピュータプログラムは、ワールドワイドウェブのようなネットワークから入手でき、そこからダウンロードされる。
【００５２】
本発明は、コンピュータプログラム、各々ソフトウェアによって実現できる。しかしながら、本発明は、１つ以上の特定の電子回路、各々ハードウェアによって実現することもできる。更に、本発明は、ハイブリッド形態、即ちソフトウェアモジュール及びハードウェアモジュールの組み合わせで実現することもできる。
【００５３】
本発明の実施形態は、異なる要旨を参照して説明されたことに注意されたい。特に、ある実施形態は、方法形式の請求項に基づいて説明され、他の実施形態は、装置形式の請求項に基づいて説明された。しかしながら、当業者であれば、以上及び以下の説明から、特に指示のない限り、１つの形式の要旨に属する特徴の組み合わせに加えて、異なる要旨に関する特徴間の組み合わせ、特に、方法形式の請求項の特徴と装置形式の請求項の特徴との間の組み合わせも本書で開示されるべきものと考えられることが分かるであろう。
【００５４】
上述した態様及び本発明の更に別の態様は、以下に述べる実施形態から明らかであり、それら実施形態を参照して説明する。本発明は、それら実施形態を参照して以下に詳細に述べるが、それに限定されない。
【図面の簡単な説明】
【００５５】
【図１】ユーザ装置のハンドオーバーをトリガーする原因を表わす情報エレメントをもつ拡張データレコードを交換する２つのベースステーションを備えた移動無線通信ネットワークを示す。
【図２ａ】ハンドオーバーの原因に加えて更に別のハンドオーバー関連情報を含む拡張データレコードの例を示す。
【図２ｂ】ハンドオーバーの原因に加えて更に別のハンドオーバー関連情報を含む拡張データレコードの例を示す。
【図２ｃ】ハンドオーバーの原因に加えて更に別のハンドオーバー関連情報を含む拡張データレコードの例を示す。
【図３】移動無線通信ネットワークのハンドオーバー動作を最適化するための移動無線通信ネットワーク用の第１（ソース）ベースステーションを示す。
【図４】移動無線通信ネットワークのハンドオーバー動作を最適化するための移動無線通信ネットワーク用の第２（ターゲット）ベースステーションを示す。
【発明を実施するための形態】
【００５６】
図面は概略的である。種々の図面において、同じ又は同様に要素は、第１の桁だけ対応参照符号と異なる参照符号で示されていることに注意されたい。
【００５７】
図１は、ここに述べる本発明の実施形態により、中央ユニット１１０、ベースステーション（ＢＳ）１２０及び更に別のベースステーション１３０を備えた移動無線通信ネットワーク１００を示している。ここに述べる実施形態によれば、ネットワーク１００は、ＬＴＥネットワークであり、中央ユニット１１０は、オペレーション・アンド・メンテナンス（ＯＡＭ）センター又はドメインマネージャー（ＤＭ）であり、そして２つのベースステーション１２０、１３０は、ｅＮｏｄｅＢである。
【００５８】
現行の３ＧＧ規格によれば、２つのｅＮｏｄｅＢ１２０及び１３０は、Ｘ２インターフェイス１２５を経て互いに接続される。ｅＮｏｄｅＢ１２０は、所謂北向きインターフェイス１１５ａを経てＯＡＭセンター１１０と既知の仕方で接続される。対応的に、ｅＮｏｄｅＢ１３０は、別の北向きインターフェイス１１５ｂを経てＯＡＭセンター１１０と既知の仕方で接続される。
【００５９】
２つのＢＳ１２０及び１３０の各々は、移動無線通信ネットワーク１００の無線セルに広がっている。２つのセル間のセル境界（の一部分）は、破線で示され、参照番号１２５ａで表されている。
【００６０】
図１から明らかなように、移動無線通信ネットワーク１００は、更に、ユーザ装置（ＵＥ）１４０を備え、これは、最初、移動無線通信ネットワーク１００のソースＢＳを表わすｅＮｏｄｅＢ１２０によるサービスを受けている。
【００６１】
ＵＥ１４０は、移動無線通信ネットワーク１００の任意の通信ネットワークアクセスポイント（例えば、ｅＮｏｄｅＢ１２０、１３０）に接続できる任意の形式の通信端装置である。特に、ＵＥ１４０は、セルラー移動電話、パーソナルデジタルアシスタント（ＰＤＡ）、ノートブックコンピュータ、及び／又は他の移動通信装置である。
【００６２】
図１の矢印１４０ａは、ｅＮｏｄｅＢ１２０に指定された（ソース）セルから、ｅＮｏｄｅＢ１３０に指定されたターゲットセルに向かって行われるＵＥ１４０の移動を示す。ＵＥ１４０が常に移動無線通信ネットワーク１００に接続されることを保証するために、ＵＥ１４０は、ソースｅＮｏｄｅＢ１２０からターゲットｅＮｏｄｅＢ１３０へハンドオーバーしなければならない。従って、現行の３ＧＰＰ規格によれば、データレコード１６０が第１のソースｅＮｏｄｅＢ１２０からＸ２インターフェイス１２５を経て第２のターゲットｅＮｏｄｅＢ１３０へ転送される。ＵＥ履歴とも称されるこのデータレコード１６０は、ＵＥ１４０に関連したものである。これは、ＵＥ１４０が、ここに示されていない第３のｅＮｏｄｅＢへハンドオーバーされる場合に、ＵＥ履歴１６０が、今やソースＢＳである第２のｅＮｏｄｅＢ１３０から、今やターゲットＢＳである第３のｅＮｏｄｅＢへ転送される。従って、第３のｅＮｏｄｅＢは、第１のｅＮｏｄｅＢと同じであってもよいし、異なるものでもよい。第１のｅＮｏｄｅＢと第３のｅＮｏｄｅＢが同じである場合には、不必要なピンポンＨＯが生じるかもしれない。
【００６３】
更に、現行の３ＧＰＰ規格によれば、データレコード、各々ＵＥ履歴１６０は、過去にＵＥ１４０にサービスしたセルに関する情報と、ＵＥ１４０が以前の各ＢＳによるサービスを受けた期間に関する情報も含む。特に、過去にＵＥ１４０にサービスした各ＢＳについて、ＵＥ履歴１６０は、各ＢＳの識別番号を表わす第１のエントリと、ＵＥ１４０が各ＢＳによるサービスを受けた期間を表わすドエルタイムとを含む。
【００６４】
この点に関して、例えば、ＵＥ１４０のユーザがＵＥ１４０をスイッチオフしたためにＵＥ１４０が移動無線通信ネットワーク１００から切断された場合には、ＵＥ履歴１６０が削除されることを述べておく。後で、ＵＥ１４０が移動無線通信ネットワーク１００に再び接続された場合に、新たなＵＥ履歴１６０が発生される。
【００６５】
ここに述べる本発明の実施形態によれば、上述したＵＥ履歴は、ＵＥ１４０のＨＯをトリガーする原因を表わす情報エレメントによって拡張される。それ故、ＵＥ履歴は、拡張ＵＥ履歴１６０と称される。
【００６６】
ここに述べる拡張ＵＥ履歴１６０を使用することにより、いつでもＵＥ１４０にサービスする全てのＢＳが、ＵＥ１４０の以前のＨＯに関するより詳細な情報、特に、以前のＨＯのトリガーの理由各々原因に関するより詳細な情報を得ることができる。ＬＴＥでは、ＢＳ各々ｅＮｏｄｅＢがＸ２インターフェイスを経て互いに接続されるので、この詳細な情報は、主として、ｅＮｏｄｅＢの各々に与えられ、特に、ＵＥ１４０の以前のＨＯに関与するｅＮｏｄｅＢに与えられる。更に、その情報は、上述した北向きインターフェイス１１５ａ及び１１５ｂを経てｅＮｏｄｅＢ１２０、１３０に接続された中央ユニット１１０にも与えられる。
【００６７】
ＨＯの原因に関して与えられる付加的な情報に基づき、移動無線通信ネットワーク１００は、将来のＨＯに対してそのＨＯ動作を最適化することができ、その結果、それらのＨＯは、ここに述べるハンドオーバー動作最適化が完成される以前に発生されたＨＯトリガー事象に比して早目に又は遅くトリガーされることになる。
【００６８】
ここに述べる実施形態によれば、ＨＯ動作は、第１の（ソース）ｅＮｏｄｅＢ１２０及び／又は第２の（ターゲット）ｅＮｏｄｅＢ１３０により分散的に実行される移動頑健性最適化（ＭＲＯ）によって最適化される。従って、ネットワーク構成パラメータ（例えば、ハンドオーバー（ＨＯ）トリガーパラメータ、ＨＯスレッシュホールド又はタイマー）は、将来、問題のあるＨＯの数が減少されるように修正され、各々最適化される。
【００６９】
この点に関して、主として、集中型ＭＲＯも考えられ、これは、特に、中央ユニット１１０によって少なくとも一部分達成されることを指摘しておく。
【００７０】
ここに述べる（拡張）ＵＥ履歴は、特に、不必要なピンポンＨＯの数及び／又は確率を減少するために使用される。特に、以下の説明では、ＢＳ１２０からＢＳ１３０へ、次いで、ＢＳ１２０へ戻るピンポンＨＯを仮定する。これは、第１の（ソース）ＢＳ１２０が第２の（ターゲット）ＢＳ１３０へのＵＥ１４０の首尾良いＨＯを実行し、そして第２の（今やソース）ＢＳ１３０が第１の（ターゲット）ＢＳ１２０へのＵＥ１４０の首尾良いＨＯを実行したことを意味する。ＵＥ履歴１６０、特に、ＵＥ履歴のドエルタイムエントリに基づいて、第１のＢＳ１２０は、第２のＢＳ１３０によりサービスされる第２のセルにおけるドエルタイムが短いので、ピンポンＨＯを生じたことが分かる。この発見は、拡張される。というのは、拡張ＵＥ履歴１６０に含まれる付加的な情報で、第１のＢＳ１２０は、なぜそれが第２のＢＳ１３０への第１のＨＯを開始したか更に「思い出す」からである。この付加的な情報に基づいて、第１のＢＳ１２０は、改善型ＭＲＯを遂行し、これは、将来のピンポンＨＯの数を減少するように修正されたネットワーク構成パラメータ（例えば、ハンドオーバー（ＨＯ）トリガーパラメータ、ＨＯスレッシュホールド又はタイマー）を導くことができる。
【００７１】
この点に関して、既知のＵＥ履歴メッセージに含まれる情報だけでは、第１のＢＳ１２０は、なぜそれが元のＨＯを開始したか「思い出す」ことができない。というのは、データプライバシーの理由で第１のＢＳ１２０に知られた独特のＵＥ識別子がないので、ＵＥを、第１のＢＳ１２０のメモリに依然ある（又はない）ＵＥコンテキストに関連付けられないからである。
【００７２】
図２ａ、２ｂ及び２ｃは、ハンドオーバー原因に加えて、更に別のＨＯ関連情報を含む拡張データレコード（ＵＥ履歴）の異なる例を示す。図２ａは、第１の拡張ＵＥ履歴２６０ａを示し、図２ｂは、第２の拡張履歴２６０ｂを示し、そして図２ｃは、第３の拡張履歴２６０ｃを示す。
【００７３】
論理的表現において、拡張ＵＥ履歴２６０ａ、２６０ｂ、及び２６０ｃに含まれる情報は、マトリクス型のテーブルに最も良く示すことができる。しかしながら、マトリクス型の表現は、理解を容易にするために使用されるに過ぎない。情報は、拡張ＵＥ履歴２６０ａ、２６０ｂ、及び２６０ｃに他の任意な仕方で含ませることもできる。
【００７４】
図２ａ、２ｂ及び２ｃにおいて、第１及び第２列のテーブルエントリは、ＵＥ履歴の現行の３ＧＰＰ仕様書から既に知られている。第３及び第４列のテーブルエントリは、拡張ＵＥ履歴２６０ａ、２６０ｂ、及び２６０ｃにのみに与えられる所謂付加的な情報を表わす。
【００７５】
図２ａ、２ｂ及び２ｃに示す実施形態によれば、ＵＥは、先ず、ＩＤ１７をもつ無線セル（に指定されたＢＳ）によって３０秒間サービスされる。無線条件が悪化したために、ＵＥは、ＩＤ１８をもつセルへハンドオーバーされ、これは、簡潔化のために、セル１８と称される。１５秒のドエルタイムの後に、ＵＥは、ＩＤ２７をもつセル（セル２７）へハンドオーバーされる。この第２のＨＯの理由は、トラフィックステアリングである（例えば、セル１８は、ある程度の無線データ負荷を取り除くことを望む）。セル２７での２秒のドエルタイムの後に、無線条件が悪くて、セル１８への（ピンポン）ＨＯが必要になる。それ故、このケースでは、トラフィックステアリングのパラメータは、見掛け上、積極的過ぎるようにセットされている。それ故、そのような形式のピンポンＨＯを将来回避するために、トラフィックステアリングパラメータをもっと穏やかにセットしなければならない。
【００７６】
ここに述べる本発明によれば、拡張ＵＥ履歴２６０ａ、２６０ｂ、及び２６０ｃの第３列に与えられたＨＯ原因に加えて、拡張ＵＥ履歴は、ハンドオーバーされるＵＥに関する更に別の情報も任意に含むことを述べておく。
【００７７】
図２ａから明らかなように、付加的なＵＥ関連情報は、ＵＥのユーザがリアルタイム（ＲＴ）無線サービスを楽しんだか非リアルタイム（ｎＲＴ）無線サービスを楽しんだかを表わす。
【００７８】
図２ｂから明らかなように、付加的なＵＥ関連情報は、各ＨＯ中のＵＥの位置を表わす。これは、ＨＯ失敗及び／又はＨＯ問題が頻繁に生じる特定のスポットを識別できると共に、移動無線通信ネットワークのＨＯ動作を改善するための特定の位置感知手段を適用できるという効果を発揮する。
【００７９】
上述したように、位置特有情報は、例えば、グローバルポジショニングシステム（ＧＰＳ）情報、アシスト型グローバルポジショニングシステム（Ａ−ＧＰＳ）情報、異なるワイヤレスＬＡＮネットワークから受信した信号の強度、所謂観察到着時間差（ＯＴＤＡ）手順、及び／又は異なる周囲ベースステーションの信号強度測定の組み合わせにより与えられる所謂ＲＦ指紋、から導出される。
【００８０】
図２ｃから明らかなように、付加的なＵＥ関連情報は、隣接ターゲットセルへの各ＨＯをトリガーする原因となった測定事象の形式である。これは、ＨＯに関するより多くの情報が捕獲され、且つ移動無線通信ネットワークのＨＯ動作の更なる改善が可能であるという効果を発揮する。
【００８１】
図２ｃに示す実施形態によれば、セル１７からセル１８へのＨＯは、所謂Ａ３測定によってトリガーされたものである（２つのＬＴＥセル間のＲＡＴ内ＨＯのための単一条件トリガー）。更に、セル１８からセル２７へのＨＯは、所謂Ａ５測定によってトリガーされたものである（２つのＬＴＥセル間のＲＡＴ内ＨＯのための二重条件トリガー）。
【００８２】
無線シナリオに基づいて、拡張ＵＥ履歴は、測定Ａ３及びＡ５と共に既に上述された他の測定事象（例えば、Ｂ１及びＢ２）に関する情報も含むことを述べておく。
【００８３】
更に、上述した付加的な情報、ＨＯトリガーのＱｏＳ、位置及び形式は、排他的なものではなく、且つ更に別の付加的な情報が拡張ＵＥ履歴に追加されてもよいことを述べておく。又、２つ以上の付加的な情報エレメント、例えば、ＨＯトリガーのＱｏＳ、位置及び形式の組み合わせも考えられる。
【００８４】
図３は、移動無線通信ネットワークのＨＯ動作を最適化するための移動無線通信ネットワーク用の第１の（ソース）ＢＳ３２０を示す。この第１のＢＳ３２０は、（ａ）第１のＢＳ３２０から移動無線通信ネットワークの第２のＢＳへのＵＥのＨＯをコントロールするためのコントロールユニット３２１と、（ｂ）ユーザ装置と第１のベースステーション３２０との間の無線リンクのプロパティを表わす情報エレメントを、ＵＥに関連した拡張ＵＥ履歴レコードに追加するための追加ユニット３２２と、（ｃ）第１のＢＳから第２のＢＳへＵＥ履歴レコードを送信するための送信ユニット３２３とを備えている。従って、ＵＥ履歴レコードに追加された情報エレメントに基づいて、移動無線通信ネットワークのＨＯ動作を最適化することができる。
【００８５】
図４は、移動無線通信ネットワークのＨＯ動作を最適化するための移動無線通信ネットワーク用の第２の（ターゲット）ベースステーション４３０を示す。この第２のＢＳ４３０は、（ａ）移動無線通信ネットワークの第１のＢＳから第２のＢＳ４３０へのＵＥのＨＯをコントロールするためのコントロールユニット４３１と、（ｂ）第１のＢＳステーションからＵＥに関連した拡張ＵＥ履歴レコードを受け取るための受信ユニット４３３とを備え、ユーザ装置と第１のベースステーションとの間の無線リンクのプロパティを表わす情報エレメントが拡張ＵＥ履歴レコードに追加されている。従って、拡張ＵＥ履歴レコードに追加された情報エレメントに基づいて、移動無線通信ネットワークのＨＯ動作を最適化することができる。
【００８６】
本発明の更に別の改善において、ここに述べる種々の実施形態からの特徴を結合できることにも注意されたい。又、請求項における参照符号は、請求項の範囲を限定するものと解釈してはならないことにも注意されたい。
【符号の説明】
【００８７】
１００：移動無線通信ネットワーク
１１０：中央ユニット／オペレーション・アンド・メンテナンス（ＯＡＭ）センター
１１５ａ、１１５ｂ：北向きインターフェイス
１２０：ベースステーション／ｅＮｏｄｅＢ
１２５：Ｘ２インターフェイス
１２５ａ：セル境界
１３０：ベースステーション／ｅＮｏｄｅＢ
１４０：ユーザ装置（ＵＥ）
１４０ａ：ＵＥの動き
１６０：データレコード／（拡張）ＵＥ履歴
２６０ａ、２６０ｂ、２６０ｃ：データレコード／（拡張）ＵＥ履歴
３２０：ベースステーション／ｅＮｏｄｅＢ
３２１：コントロールユニット
３２２：追加ユニット
３２３：送信ユニット
４３０：ベースステーション／ｅＮｏｄｅＢ
４３１：コントロールユニット
４３３：受信ユニット
【図１】
0005801964.tif 000002
【図２Ａ】
0005801964.tif 000003
【図２Ｂ】
0005801964.tif 000004
【図２Ｃ】
0005801964.tif 000005
【図３】
0005801964.tif 000006
【図４】
0005801964.tif 000007